(57)【要約】【課題】食肉を載置して往復揺動する肉箱の移動速度を可変とすることで、肉箱の慣性による機体の揺す振りを減少させ省スペース、軽量化を維持しながら高能率なスライス作業を行うことができる食肉スライサーの運転方法と食肉スライサーを提供する。【解決手段】回転する丸刃８に対して、食肉を載置し水平支持軸５を軸心として肉箱駆動用モーター６によりクランク機構７を介して往復揺動される肉箱２が、終端位置より始端位置を下方に位置され、肉箱駆動用モーター６の回転数が予め設定された所定値以上の場合に、肉箱駆動用モーター６は肉箱２の往動時においては減速されており、復動時においては加速される。【選択図】図１
2010137354.tif 000002
【特許請求の範囲】
【請求項１】
機体の上部位置で縦方向に回転する丸刃と、食肉を載置して前端部を前記丸刃の回転面に沿わせつつ機体の底部に設けられた水平支持軸を軸心として肉箱駆動用モーターによりクランク機構を介して往復揺動される肉箱とを備え、該肉箱の揺動範囲における始端位置において停止させた肉箱に食肉が供給され、該肉箱が揺動範囲における終端位置まで往動するときに該食肉の先端を丸刃でスライスするように構成され、且つ前記始端位置における肉箱が終端位置における肉箱より下方に位置するように配置された食肉スライサーであって、前記肉箱駆動用モーターの回転数が予め設定された所定値以上の場合に、該肉箱駆動用モーターは前記肉箱の往動時においては減速されており、復動時においては加速されて運転されることを特徴とする食肉スライサーの運転方法。
【請求項２】
機体の上部位置で縦方向に回転する丸刃と、食肉を載置して前端部を前記丸刃の回転面に沿わせつつ機体の底部に設けられた水平支持軸を軸心として肉箱駆動用モーターによりクランク機構を介して往復揺動される肉箱とを備え、該肉箱の揺動範囲における始端位置において停止させた肉箱に食肉が供給され、該肉箱が揺動範囲における終端位置まで往動するときに該食肉の先端を丸刃でスライスするように構成され、且つ前記始端位置における肉箱が終端位置における肉箱より下方に位置するように配置された食肉スライサーであって、前記肉箱駆動用モーターの回転数が予め設定された所定値以上の場合に、該肉箱駆動用モーターは前記肉箱の往動時においては減速されており、復動時においては加速されていることを特徴とする食肉スライサー。
【発明の詳細な説明】
【技術分野】
【０００１】本発明は、食肉を載置して往復揺動する肉箱の移動速度を可変とした食肉スライサーの運転方法及び食肉スライサーに関する。
【背景技術】
【０００２】本発明に関連する従来の食肉スライサーは、特許文献１に開示されているものが主流である。このスライサーは、機体の定位置において回転する丸刃に対して食肉を載置する肉箱を水平方向に往復移動させて肉箱の先端から突出した食肉を丸刃でスライスする構成である。【０００３】特許文献１のような食肉スライサーにおいて、肉箱は肉箱駆動用モーターによりクランク機構を介して往復移動されるが、肉箱を支持する機体には、肉箱の移動方向に肉箱の慣性による揺さ振り力が働くが、この揺さ振り力は肉箱が水平方向にて往復移動するので往動時においても復動時においても、作用する方向は相反するが大きさは同等である。【０００４】肉箱を往復移動させるこの種の食肉スライサーにおいては、肉箱を低速度（例えば毎分３０回程度）で往復移動させて使用する場合には肉箱の慣性による機体の揺さ振りは少ないので問題はないが、高速（例えば毎分７０回以上）で往復移動させる場合には肉箱の慣性が大きくなり肉箱移動の各死点（始端位置、終端位置）においては慣性が最大となり機体が強く揺さ振られるので、機体を重くしたり機体の支持脚間を広げたりして揺さ振りに耐えるための対策が講じられていた。【０００５】その他の方策としては、肉箱を往復移動させる肉箱駆動用モーターの回転数を可変として肉箱の慣性が最大となる各死点付近で肉箱駆動用モーターの回転数を減少させるよう制御して肉箱の慣性を緩和する策が採られていた。当然その分だけ作業能率が低下することは避けられなかった。【０００６】又、特許文献１のような食肉スライサーにおいては、肉箱を丸刃の反対側端に停止させて食肉を供給するようにしており、肉箱の移動を高速化しても静かにしかも精度よく停止させるために肉箱が復動するときに減速されるように肉箱駆動用のモーターを制御している。従って減速された分だけ肉箱の往復時間が長くなり時間当たりのスライス回数が減り能率低下は免れない。【０００７】本出願人は、特許文献１とは異なる形態の食肉スライサーとして、特許文献２に示す、機体の上部位置で縦方向に回転する丸刃と、食肉を載置して前端部を丸刃の回転面に沿わせつつ機体の底部に設けられた水平支持軸を軸心として肉箱駆動用モーターによりクランク機構を介して往復揺動される肉箱とを備え、肉箱の揺動範囲における始端位置において停止させた肉箱に食肉が供給され、肉箱が揺動範囲における終端位置まで往動するときに食肉の先端を丸刃でスライスするように構成され、且つ始端位置における肉箱が終端位置における肉箱より下方に位置するように配置された構成の食肉スライサーを提案した。【０００８】本出願人は、この特許文献２に記載された食肉スライサーにおける肉箱の往復揺動と機体の揺す振りとの関係について以下に記述する解析を行った。【０００９】ここで、図２は、特許文献２における食肉スライサーの肉箱の往復揺動と機体への揺す振り力との関係を模式的に表したものである。【００１０】この特許文献２に記載された食肉スライサーの構成においては、肉箱が終端位置から始端位置まで復動したとき図２に示されるように機体を揺す振る力の大きさは、機体の支持点（右）からの距離１Ｒと肉箱の慣性による揺す振り力Ｆの水平方向の分力ＦＲとの積で求められるモーメントによる右方向の回転力として示される。【００１１】一方、揺動終端位置においては、機体を揺す振る力の大きさは、肉箱の慣性による揺す振り力Ｆと機体の支持点（左）（便宜上、肉箱揺動中心と重ねて表示）からの距離１Ｌとの積によるモーメントによる左方向の回転力として示される。
【特許文献１】特許第３９７８８４０号公報
【特許文献２】特開２００７−２１６３号公報
【発明の開示】
【発明が解決しようとする課題】
【００１２】本発明は、上記の特許文献２に記載された食肉スライサーにおいて、肉箱が往動して終端位置に達したときに比べて復動して始端位置まで復帰したときのほうが肉箱の慣性による機体の揺す振り力が少ないことに着目して、これを活用することで従来の問題点を改善した省スペース、軽量化を維持しながら高能率なスライス作業を行うことができる食肉スライサーの運転方法と食肉スライサーを提供しようとするものである。
【課題を解決するための手段】
【００１３】本発明は、機体の上部位置で縦方向に回転する丸刃と、食肉を載置して前端部を前記丸刃の回転面に沿わせつつ機体の底部に設けられた水平支持軸を軸心として肉箱駆動用モーターによりクランク機構を介して往復揺動される肉箱とを備え、該肉箱の揺動範囲における始端位置において停止させた肉箱に食肉が供給され、該肉箱が揺動範囲における終端位置まで往動するときに該食肉の先端を丸刃でスライスするように構成され、且つ前記始端位置における肉箱が終端位置における肉箱より下方に位置するように配置された食肉スライサーであって、前記肉箱駆動用モーターの回転数が予め設定された所定値以上の場合に、該肉箱駆動用モーターは前記肉箱の往動時においては減速されており、復動時においては加速されて運転されることを特徴とする食肉スライサーの運転方法とした。【００１４】又、機体の上部位置で縦方向に回転する丸刃と、食肉を載置して前端部を前記丸刃の回転面に沿わせつつ機体の底部に設けられた水平支持軸を軸心として肉箱駆動用モーターによりクランク機構を介して往復揺動される肉箱とを備え、該肉箱の揺動範囲における始端位置において停止させた肉箱に食肉が供給され、該肉箱が揺動範囲における終端位置まで往動するときに該食肉の先端を丸刃でスライスするように構成され、且つ前記始端位置における肉箱が終端位置における肉箱より下方に位置するように配置された食肉スライサーであって、前記肉箱駆動用モーターの回転数が予め設定された所定値以上の場合に、該肉箱駆動用モーターは前記肉箱の往動時においては減速されており、復動時においては加速されていることを特徴とする食肉スライサーの構成としている。
【発明の効果】
【００１５】本発明によれば、肉箱の揺動速度が所定値以上のとき、肉箱の慣性による機体の揺す振り力が、特に往動終端位置において大きくならないように肉箱の往動時に減速するが、その代わりに復動時において、もともと肉箱の慣性による機体の揺す振り力が少なくなる分に見合うだけ加速することができるのでトータルとしては揺動サイクルタイムを減らすことがなく作業能率を低下させない。【００１６】従って、機体の重量を増加させたり、支持脚の間隔を広げることなく省スペース、軽量化を維持しながら高能率なスライス作業を行うことができる食肉スライサーの運転方法と食肉スライサーが提供される。
【発明を実施するための最良の形態】
【００１７】図面を参照しながら本発明を実施した食品スライサーについて説明する。
図１は、本発明に係る食肉スライサーの実施例の概略構成を示す側面図。
図２は、本願発明に係る食肉スライサーにおける肉箱の往復揺動と機体への揺す振り力との関係を模式的に表した説明図である。【００１８】本実施例の食肉スライサーの機体１は、箱体として構成され、食肉が載置される肉箱２は、底部と側部にそれぞれ送りコンベヤ３と４が張設されており、機体１の底部に設けられた水平支持軸５の軸心を中心として揺動可能に支持されている。【００１９】肉箱２は、減速機付サーボモーターからなる肉箱駆動用モーター６よって駆動されるクランク機構７に連結されていて、少なくとも食肉のスライスに必要な範囲（図１に破線で示す始端位置から仮想線で表示する終端位置）に亘り往復揺動するように構成されている。【００２０】肉箱２は、揺動範囲の始端位置に位置するときは図１に示すように終端位置に位置するときより下方に位置するように配置されていて、この始端位置において停止した肉箱２のコンベヤ３上に材料である食肉が載置される。【００２１】また、図示や詳細の説明は省略するが、何れも公知の手段で肉箱駆動用モーター６の回転数を制御することにより肉箱２の揺動速度が変更可能な構成としている。【００２２】肉箱２に張設されたコンベヤ３、４は、肉箱２の揺動に関連して間欠的に駆動されコンベヤ３、４上に載置された食肉を後述の丸刃８からなる切断部に向けて送出す。【００２３】機体１の上部位置には公知の構成による丸刃８が設けられる。丸刃８は、縦方向に回転するように機台１に支持されており、丸刃８の回転面に肉箱２の前端面を沿わせるよう配置されている。【００２４】図１に示すように肉箱２の揺動範囲における左右両側端部の下方位置の機体１の底面に、機体１を支持する複数の支持脚９が設けられる。
本実施例においては、始端位置における肉箱２の外側部付近下方の機体底面で、機体右端部近くの位置であって前後方向（食肉の送り出し方向）に一対の支持脚９を取り付けている。
また、終端位置にある肉箱２の外側部付近下方の機体底面で機体左側端部に、前記一対の支持脚９との左右対称位置にも支持脚を設け合計４本柱で機体１を支持する。【００２５】このように構成された食肉スライサーの運転方法と食肉スライサーの作動について説明する。基本的な操作は、従来のこの種の食肉スライサーと同様であり、材料の食肉を始端位置で停止中の肉箱２のコンベヤ３，４上に載置し、記載を省略した退避位置にあった押えローラーを食肉の上面に接触する作用位置に戻して始動スイッチを操作してスライス作業を開始する。【００２６】肉箱２の往復回数が比較的低速度である毎分３０回程度でスライス作業を行う場合には、肉箱２の慣性による機体１の揺す振りは問題とならないので、肉箱２の移動速度は往復ともほぼ同速度として変速制御はしない。【００２７】高能率でスライス作業を行う場合、例えば、毎分７０回程度で肉箱２を往復移動させると、揺動範囲における始端位置及び終端位置において肉箱２の慣性による機体１の揺さ振りが大きくなり機体１の振動やずれが激しくなる。これを防ぐためには、機体１を支持する支持脚９の間隔を広げたりバランスをとるためにバランスウエイトを付加したりすることが考えられるが機体が大きくなったり、重量が増えたりする。【００２８】本発明に係る実施例においては、任意に設定される肉箱２の時間当たり揺動回数が、所定値以上の場合例えば上述の毎分７０回以上のときには、肉箱２が始端位置から終端位置に至る往動時には肉箱駆動用モーター６を５％程度減速する。
その代わり肉箱２が終端位置から始端位置に戻る複動時に減速した５％程度増速してトータルのサイクルタイムは変わらないように肉箱駆動用モーター６を制御する。【００２９】本実施例における食肉スライサーは、従来の食肉スライサーと異なり肉箱２の揺動範囲における始端位置が終端位置より下方に配置されているので、前述の図２に示されるよう肉箱２の慣性による機体への揺す振り力は、終端位置が大きく、始端位置が小さくなるので復動時に肉箱２を加速する余裕が生じ往動時に減速しても復動時に加速して埋め合わせができる。【００３０】換言すれば、肉箱の往復移動の下死点（始端）位置における機体を揺す振る力Ｆが許容される上限に肉箱の移動速度が設定された場合、従来の食肉スライサーにおいては、終端位置においても同等の揺さ振り力が作用するが、本発明に係る食肉スライサーでは、始端位置での揺さ振り力が終端位置におけるものより小さいのでその分は複動時に加速することができるので、食肉がスライスされる往動時の移動速度を従来の食肉スライサーと同じ設定となっても、復動時に加速された分だけ時間短縮となり作業能率が向上する。【００３１】上述したように本発明に係る食肉スライサーにおいて、往動時より復動時が肉箱２による慣性力が少ないことは、作業中に原料の食肉を肉箱２へ供給するために始端位置に肉箱２を停止させる際に制動を強くしなくとも正確に行える効果をももたらす。【００３２】本実施例における肉箱駆動モーター６の回転数の設定手段や制御手段は、公知のシケンサーや、マイコン回路など用い、肉箱２の揺動範囲における始端位置、終端位置の検出には、クランク軸などの回転軸にパルス信号を出力するロータリーエンコーダーを設けたり、又は、リミットスイッチを設けたり適宜実施できるので具体的な手段の説明は省略する。
【図面の簡単な説明】
【００３３】
【図１】本発明に係る食肉スライサーの実施例の概略構成を示す側面図。
【図２】本発明に係る肉箱の往復揺動と機体への揺す振り力との関係を模式的に表した図。
【符号の説明】
【００３４】１      機体
２      肉箱
５      水平支持軸
６      肉箱駆動用モーター
７      クランク機構
８      丸刃
【図１】
2010137354.tif 000003
【図２】
2010137354.tif 000004